(57)【要約】【課題】  接続された複数のモニタへ個別に異なるテレビジョン信号を出力することが出来る記録再生装置の提供。【解決手段】  複数チャンネルのテレビジョン番組を同時的に受信して、内蔵する１又は複数の記録装置Ｒ１〜Ｒ４に記録することが可能であり、記録したテレビジョン番組のビデオ信号を再生して、接続される１又は複数のモニタＭＡ〜ＭＣへ送信すべくなしてあり、モニタＭＡ〜ＭＣから送信された指示信号により記録予約されるべくなしてある記録再生装置。記録予約されたテレビジョン番組に対応させて、記録予約の指示信号と共に送信されたモニタＭＡ〜ＭＣの識別子を記憶する記憶手段５と、記録されたテレビジョン番組のビデオ信号を再生するときに、記憶手段５が記憶する識別子のモニタＭＡ〜ＭＣへ、そのテレビジョン番組のビデオ信号を送信する送信手段１〜４とを備える構成である。【選択図】        図１
2005277956.tif 000002
【特許請求の範囲】
【請求項１】
複数チャンネルのテレビジョン番組を同時的に受信して、内蔵する１又は複数の記録装置に記録することが可能であり、記録したテレビジョン番組のビデオ信号を再生して、接続される１又は複数のモニタへ送信すべくなしてある記録再生装置において、
接続されたモニタから送信された該モニタの識別子を選択する手段と、該手段が選択した識別子を、記録予約されたテレビジョン番組に対応させて記憶する記憶手段と、記録された前記テレビジョン番組のビデオ信号を再生するときに、前記記憶手段が記憶する識別子のモニタへ、前記テレビジョン番組のビデオ信号を送信する送信手段とを備えることを特徴とする記録再生装置。
【請求項２】
複数チャンネルのテレビジョン番組を同時的に受信して、内蔵する１又は複数の記録装置に記録することが可能であり、記録したテレビジョン番組のビデオ信号を再生して、接続される１又は複数のモニタへ送信すべくなしてあり、モニタから送信された指示信号により記録予約されるべくなしてある記録再生装置であって、
記録予約されたテレビジョン番組に対応させて、記録予約の指示信号と共に送信されたモニタの識別子を記憶する記憶手段と、記録された前記テレビジョン番組のビデオ信号を再生するときに、前記記憶手段が記憶する識別子のモニタへ、前記テレビジョン番組のビデオ信号を送信する送信手段とを備えることを特徴とする記録再生装置。
【請求項３】
複数チャンネルのテレビジョン番組を同時的に受信して、内蔵する１又は複数の記録装置に記録することが可能であり、記録したテレビジョン番組のビデオ信号を再生して、出力端子からモニタへ送信すべくなしてある記録再生装置において、
複数の前記出力端子と、出力端子の入力された識別子を、記録予約されたテレビジョン番組に対応させて記憶する記憶手段と、記録された前記テレビジョン番組のビデオ信号を再生するときに、前記記憶手段が記憶する出力端子から、前記テレビジョン番組のビデオ信号を送信する送信手段とを備えることを特徴とする記録再生装置。
【請求項４】
前記記憶手段は、前記モニタ側で入力されたユーザの識別子を更に記憶し、前記記憶手段が記憶したユーザの識別子に基づき、再生するテレビジョン番組を、前記モニタから選択されるべくなしてある請求項２記載の記録再生装置。
【請求項５】
受信すべきチャンネルを、モニタから送信された該モニタの識別子と共に受付ける受付手段を更に備え、前記送信手段は、該受付手段が受付け受信したチャンネルのビデオ信号を、前記受付手段が受付けた識別子のモニタへ送信すべくなしてある請求項２又は４記載の記録再生装置。
【請求項６】
受信すべきチャンネルを、出力端子の識別子と共に受付ける受付手段を更に備え、前記送信手段は、該受付手段が受付け受信したチャンネルのビデオ信号を、前記受付手段が受付けた識別子の出力端子から送信すべくなしてある請求項３記載の記録再生装置。
【請求項７】
請求項１乃至６の何れか１つに記載された記録再生装置と、該記録再生装置が送信したビデオ信号を受像すべき１又は複数のモニタとを備えることを特徴とする記録再生システム。
【発明の詳細な説明】
【技術分野】
【０００１】
本発明は、録画予約された複数チャンネルの番組を同時的に受信して、内蔵する１又は複数の記録装置に録画することが可能であり、録画した番組のテレビジョン信号を、外部接続された１又は複数のモニタへ送信する記録再生装置、及び該記録再生装置と、該記録再生装置が送信したテレビジョン信号を受像する為の１又は複数のモニタとを備える記録再生システムに関するものである。
【背景技術】
【０００２】
近時、同時的に受信した複数チャンネルのテレビジョン信号を、内蔵するＤＶＤ−Ｒ（ＲＷ）（Digital Versatile disk-R(RW)）、ＨＤＤ（Hard Disk Drive）、ＶＴＲ（Video Tape Recorder）等の１又は複数の記録媒体に記録し、外部接続された１又は複数のモニタで再生する記録再生装置である複合機が実用化されている。
【０００３】
特許文献１には、複数の機器が連携して簡単に番組録画及び番組予約録画を行うことが出来るＡＶ機器及びＡＶ機器の録画方式が開示されている。
特許文献２には、ＩＲＤ（Integrated Receiver Decoder）にＩＥＥＥ（Institute of ElectricalElectronicEnginerrs）１３９４のインタフェースを設けるようにし、コネクションが張られている機器を簡単に選択することが出来、操作性が向上するディジタル放送の受信システム及びディジタル放送の受信装置が記載されている。
【０００４】
特許文献３には、複数のユーザが一台の受信端末装置を使用する場合であっても、各ユーザにとって利便性の高い放送受信装置が開示されている。
【特許文献１】特開平１１−２３２７２７号公報
【特許文献２】特開２０００−１８８７２５号公報
【特許文献３】特開２００１−３６８２５号公報
【発明の開示】
【発明が解決しようとする課題】
【０００５】
上述した従来の複合機では、外部接続されたモニタへ出力するテレビジョン信号は１種類のみであり、複数のユーザが、それぞれのモニタで異なる番組を視聴したり、また、それぞれ番組を録画しながら、それぞれのモニタで異なる番組を視聴したり、複数のユーザが、それぞれ録画してある複数の番組を同時にそれぞれのモニタで再生したりすることは出来ないという問題がある。
本発明は、上述したような事情に鑑みてなされたものであり、接続された複数のモニタへ個別に異なるテレビジョン信号を出力することが出来る記録再生装置を提供することを目的とする。また、複数のモニタで個別に異なるテレビジョン信号を受像することが出来る記録再生システムを提供することを目的とする。
【課題を解決するための手段】
【０００６】
本発明に係る記録再生装置は、複数チャンネルのテレビジョン番組を同時的に受信して、内蔵する１又は複数の記録装置に記録することが可能であり、記録したテレビジョン番組のビデオ信号を再生して、接続される１又は複数のモニタへ送信すべくなしてある記録再生装置において、接続されたモニタから送信された該モニタの識別子を選択する手段と、該手段が選択した識別子を、記録予約されたテレビジョン番組に対応させて記憶する記憶手段と、記録された前記テレビジョン番組のビデオ信号を再生するときに、前記記憶手段が記憶する識別子のモニタへ、前記テレビジョン番組のビデオ信号を送信する送信手段とを備えることを特徴とする。
【０００７】
この記録再生装置では、複数チャンネルのテレビジョン番組を同時的に受信して、内蔵する１又は複数の記録装置に記録することが可能である。記録したテレビジョン番組のビデオ信号を再生して、接続される１又は複数のモニタへ送信する。選択する手段が、接続されたモニタから送信されたモニタの識別子を選択し、その選択した識別子を、記憶手段が、記録予約されたテレビジョン番組に対応させて記憶する。記録されたテレビジョン番組のビデオ信号を再生するときに、送信手段が、記憶手段が記憶する識別子のモニタへ、そのテレビジョン番組のビデオ信号を送信する。
【０００８】
本発明に係る記録再生装置は、複数チャンネルのテレビジョン番組を同時的に受信して、内蔵する１又は複数の記録装置に記録することが可能であり、記録したテレビジョン番組のビデオ信号を再生して、接続される１又は複数のモニタへ送信すべくなしてあり、モニタから送信された指示信号により記録予約されるべくなしてある記録再生装置であって、記録予約されたテレビジョン番組に対応させて、記録予約の指示信号と共に送信されたモニタの識別子を記憶する記憶手段と、記録された前記テレビジョン番組のビデオ信号を再生するときに、前記記憶手段が記憶する識別子のモニタへ、前記テレビジョン番組のビデオ信号を送信する送信手段とを備えることを特徴とする。
【０００９】
この記録再生装置では、複数チャンネルのテレビジョン番組を同時的に受信して、内蔵する１又は複数の記録装置に記録することが可能であり、記録したテレビジョン番組のビデオ信号を再生して、接続される１又は複数のモニタへ送信する。モニタから送信された指示信号により記録予約される。記録予約されたテレビジョン番組に対応させて、記憶手段が、記録予約の指示信号と共に送信されたモニタの識別子を記憶する。記録されたテレビジョン番組のビデオ信号を再生するときに、送信手段は、記憶手段が記憶する識別子のモニタへ、そのテレビジョン番組のビデオ信号を送信する。
【００１０】
本発明に係る記録再生装置は、複数チャンネルのテレビジョン番組を同時的に受信して、内蔵する１又は複数の記録装置に記録することが可能であり、記録したテレビジョン番組のビデオ信号を再生して、出力端子からモニタへ送信すべくなしてある記録再生装置において、複数の前記出力端子と、出力端子の入力された識別子を、記録予約されたテレビジョン番組に対応させて記憶する記憶手段と、記録された前記テレビジョン番組のビデオ信号を再生するときに、前記記憶手段が記憶する出力端子から、前記テレビジョン番組のビデオ信号を送信する送信手段とを備えることを特徴とする。
【００１１】
この記録再生装置では、複数チャンネルのテレビジョン番組を同時的に受信して、内蔵する１又は複数の記録装置に記録することが可能であり、記録したテレビジョン番組のビデオ信号を再生して、出力端子からモニタへ送信する。記憶手段が、出力端子の入力された識別子を、記録予約されたテレビジョン番組に対応させて記憶する。テレビジョン番組のビデオ信号を再生するときに、送信手段は、記憶手段が記憶する出力端子から、そのテレビジョン番組のビデオ信号を送信する。
【００１２】
本発明に係る記録再生装置は、前記記憶手段は、前記モニタ側で入力されたユーザの識別子を更に記憶し、前記記憶手段が記憶したユーザの識別子に基づき、再生するテレビジョン番組を、前記モニタから選択されるべくなしてあることを特徴とする。
【００１３】
この記録再生装置では、記憶手段が、モニタ側で入力されたユーザの識別子を更に記憶し、記憶手段が記憶したユーザの識別子に基づき、再生するテレビジョン番組が、モニタから選択される。
【００１４】
本発明に係る記録再生装置は、受信すべきチャンネルを、モニタから送信された該モニタの識別子と共に受付ける受付手段を更に備え、前記送信手段は、該受付手段が受付け受信したチャンネルのビデオ信号を、前記受付手段が受付けた識別子のモニタへ送信すべくなしてあることを特徴とする。
【００１５】
この記録再生装置では、受信すべきチャンネルを、受付手段が、モニタから送信されたモニタの識別子と共に受付け、送信手段は、受付手段が受付け受信したチャンネルのビデオ信号を、受付手段が受付けた識別子のモニタへ送信する。
【００１６】
本発明に係る記録再生装置は、受信すべきチャンネルを、出力端子の識別子と共に受付ける受付手段を更に備え、前記送信手段は、該受付手段が受付け受信したチャンネルのビデオ信号を、前記受付手段が受付けた識別子の出力端子から送信すべくなしてあることを特徴とする。
【００１７】
この記録再生装置では、受信すべきチャンネルを、受付手段が、出力端子の識別子と共に受付け、送信手段は、受付手段が受付け受信したチャンネルのビデオ信号を、受付手段が受付けた識別子の出力端子から送信する。
【００１８】
本発明に係る記録再生システムは、本発明に係る記録再生装置と、該記録再生装置が送信したビデオ信号を受像すべき１又は複数のモニタとを備えることを特徴とする。
【００１９】
この記録再生システムでは、本発明に係る記録再生装置が送信したビデオ信号を、１又は複数のモニタが受像する。
【発明の効果】
【００２０】
本発明に係る記録再生装置によれば、接続された複数のモニタへ個別に異なるテレビジョン信号を出力することが出来る記録再生装置を実現することが出来、複数のユーザが、それぞれ録画してある複数の番組を同時にそれぞれ選択したモニタで再生することが出来る。
【００２１】
本発明に係る記録再生装置によれば、接続された複数のモニタへ個別に異なるテレビジョン信号を出力することが出来る記録再生装置を実現することが出来、複数のユーザが、それぞれ録画してある複数の番組を同時にそれぞれのモニタで再生することが出来る。
【００２２】
本発明に係る記録再生装置によれば、接続された複数のモニタへ個別に異なるテレビジョン信号を出力することが出来る記録再生装置を実現することが出来、複数のユーザが、それぞれ録画してある複数の番組を同時にそれぞれのモニタで再生することが出来る。また、録画してある番組をユーザ毎に管理することが出来る。
【００２３】
本発明に係る記録再生装置によれば、接続された複数のモニタへ個別に異なるテレビジョン信号を出力することが出来る記録再生装置を実現することが出来、複数のユーザが、それぞれ録画してある複数の番組を同時にそれぞれのモニタで再生することが出来る。また、複数のユーザが、それぞれのモニタで異なる番組を視聴したり、それぞれ番組を録画しながら、それぞれのモニタで異なる番組を視聴したりすることが出来る。
【００２４】
本発明に係る記録再生システムによれば、複数のモニタが個別に異なるテレビジョン信号を受像することが出来る記録再生システムを実現することが出来、複数のユーザが、それぞれ録画してある複数の番組を同時にそれぞれのモニタで再生することが出来る。
【発明を実施するための最良の形態】
【００２５】
以下に、本発明をその実施の形態を示す図面に基づいて説明する。
図１は、本発明に係る記録再生装置及び記録再生システムであり、ディジタル放送に使用される複合機及び複合システムの実施の形態の構成を示すブロック図である。この複合機及び複合システムは、衛星放送から受信した放送波から、マルチチューナＭＴが、指定された１又は複数のチャンネルの信号を選択して復調し、誤り訂正を行ってトランスポートストリーム（テレビジョン信号）を作成する。作成されたトランスポートストリームは、チャンネル毎に選択された信号処理部Ｐ１〜Ｐ６に与えられる。
【００２６】
信号処理部Ｐ１〜Ｐ６は、与えられたトランスポートストリームのスクランブルを解いた後、それぞれ指定された個所に与える。信号処理部Ｐ１〜Ｐ４は、録画を指示されているときは、トランスポートストリームをそれぞれに対応する記録再生部Ｒ１〜Ｒ４に与え、録画を指示されていないときは、バス２及び通信インタフェース３を通じて、指定されたモニタＭＡ〜ＭＣに送信する。信号処理部Ｐ５，Ｐ６は、トランスポートストリームをバス２及び通信インタフェース３を通じて、指定されたモニタＭＡ〜ＭＣに送信する。
【００２７】
記録再生部Ｒ１〜Ｒ４は、与えられたトランスポートストリームを記録すると共に、再生を指示されたときは、指定されたトランスポートストリームを再生して、信号処理部Ｐ１〜Ｐ４に与える。尚、記録再生部Ｒ１〜Ｒ４は、ＤＶＤ−Ｒ（ＲＷ）、ＨＤＤ、ＶＴＲ等の記録再生機構であり、同時に複数の記録／再生が可能であれば、１つのＤＶＤ−Ｒ（ＲＷ）又はＨＤＤであっても良い。
【００２８】
上述したマルチチューナＭＴ、信号処理部Ｐ１〜Ｐ６及び通信インタフェース３は、バス２により制御部１と接続されており、制御部１は、これら各部と制御信号を送受し、各部を制御する。また、制御部１は、時計６及びメモリ５を内蔵している。
メモリ５には、録画予約の際に、録画すべき番組のチャンネル、開始時刻、終了時刻、使用すべき記録再生部Ｒ１〜Ｒ４等と、予約したユーザのＩＤ（識別子）、及びその録画した番組を再生すべきモニタＭＡ〜ＭＣのＩＤとを対応させて、録画予約情報として記憶する。また、録画終了後は、録画した番組のチャンネル、開始時刻、終了時刻、使用した記録再生部Ｒ１〜Ｒ４等と、予約したユーザのＩＤ、及びその録画した番組を再生すべきモニタＭＡ〜ＭＣのＩＤとを対応させて、録画情報として記憶する。
【００２９】
通信インタフェース３は、ＩＥＥＥ（Institute of ElectricalElectronic Enginerrs）１３９４規格のバスブリッジであり、ＩＥＥＥ１３９４シリアルバス４と複合機内のパラレルバス２とを接続し、同じバス内向けのパケットは無視し、他のバス向けのパケットは隣接するバスに送る。
ＩＥＥＥ１３９４シリアルバス４に接続されたモニタＭＡ〜ＭＣは、それぞれ通信インタフェース３と同様の図示しない通信インタフェースを有している。
モニタＭＡ〜ＭＣは、ＩＥＥＥ１３９４シリアルバス４を通じて送信されたトランスポートストリームを、番組情報、オーディオストリーム及びビデオストリームに分離する。分離したオーディオストリームを音声信号に復号して、スピーカから出力し、分離したビデオストリームを映像信号に復号して表示する。
【００３０】
複合機及びモニタＭＡ〜ＭＣは、ＩＥＥＥ１３９４シリアルバス４のバスリセット時（電源投入時及び接続変更時）に、それぞれのアドレスがノードのアドレスとして割当てられる。モニタＭＡ〜ＭＣの割当てられたアドレスは、モニタＭＡ〜ＭＣのＩＤとして扱われる。
モニタＭＡ〜ＭＣは、それぞれリモートコントロール装置ＲＭＡ〜ＲＭＣの操作により制御され、複合機は、モニタＭＡ〜ＭＣを通じて、リモートコントロール装置ＲＭＡ〜ＲＭＣの操作により制御される。
【００３１】
以下に、このような構成の複合機の動作を、図２〜５のフローチャートを参照しながら説明する。
この複合機の制御部１は、例えばリモートコントロール装置ＲＭＡが操作され、モニタＭＡを通じて、録画予約を指示されると（図２Ｓ２）、モニタＭＡのＩＥＥＥ１３９４シリアルバス４上のアドレスをモニタＭＡのＩＤとしてメモリ５に記憶する（Ｓ４）。次いで、リモートコントロール装置ＲＭＡで入力され、モニタＭＡを通じて送信されて来たユーザＩＤをメモリ５に記憶し（Ｓ６）、リモートコントロール装置ＲＭＡで指示された記録再生部（例えばＲ１）の識別番号を選択してメモリ５に記憶する（Ｓ８）。
【００３２】
次に、制御部１は、リモートコントロール装置ＲＭＡで入力され、モニタＭＡを通じて送信されて来た録画すべき番組のチャンネル、開始時刻及び終了時刻等の録画予約情報を、モニタＭＡのＩＤ（Ｓ４）、ユーザＩＤ（Ｓ６）及び記録再生部Ｒ１の識別番号（Ｓ８）に対応させてメモリ５に記憶し（Ｓ１０）リターンする。
【００３３】
制御部１は、リモートコントロール装置ＲＭＡ及びモニタＭＡに限らず、録画予約を指示されると、上述した動作を、録画時刻が重複することがあっても実行する。
尚、リモートコントロール装置が操作されたモニタのＩＤをメモリ５に記憶する（Ｓ４）のに代えて、接続されているモニタのＩＤの中から、モニタ側又は複合機側で選択したＩＤをメモリ５に記憶するようにすることも可能である。また、モニタを通さず、直接、複合機で録画予約を受付けることも可能である。
【００３４】
制御部１は、時計６の時刻が、メモリ５に記憶してある録画予約情報（Ｓ１０）の何れかの録画開始時刻（番組の開始時刻）になったか否かを判定し（図３Ｓ１２）、録画開始時刻（番組の開始時刻）になっていると、録画開始時刻になっている録画予約情報のチャンネルをマルチチューナＭＴに選択させ（Ｓ１４）、記憶している記録再生部（例えばＲ１）（Ｓ８）を信号処理部Ｐ１を通じて起動させて（Ｓ１６）、録画を開始させる（Ｓ１８）。次いで、時計６の時刻が、メモリ５に記憶してある録画予約情報（Ｓ１０）の何れかの録画終了時刻（番組の終了時刻）になっているか否かを判定し（Ｓ２０）、録画終了時刻になっていれば、録画終了時刻になっている録画予約情報の記録再生部（例えばＲ３）を信号処理部Ｐ３を通じて停止させて、予約録画を終了する（Ｓ２２）。
【００３５】
制御部１は、予約録画を終了すると（Ｓ２２）、録画した番組のチャンネル、開始時刻、終了時刻等の録画予約情報、モニタ（例えばＭＢ）のＩＤ（Ｓ４）、ユーザＩＤ（Ｓ６）及び記録再生部Ｒ３の識別番号（Ｓ８）を、録画情報としてメモリ５に記憶し（Ｓ２４）リターンする。
制御部１は、メモリ５に記憶してある録画予約情報（Ｓ１０）の何れかの録画開始時刻になっていなければ（Ｓ１２）、メモリ５に記憶してある録画予約情報（Ｓ１０）の何れかの録画終了時刻になっているか否かを判定する（Ｓ２０）。録画終了時刻になっていなければリターンする。
制御部１は、以上の動作により、複数の番組を同時に録画することが出来る。
【００３６】
制御部１は、上述した録画動作に関係なく、例えばリモートコントロール装置ＲＭＡが操作され、モニタＭＡを通じて、選択されたチャンネル及びモニタＭＡのＩＤを受付けると（図４Ｓ３０）、受付けたチャンネルをマルチチューナＭＴに選択させる（Ｓ３２）。次いで、使用されていない信号処理部（例えばＰ５）を選択して（Ｓ３４）、マルチチューナＭＴが選択したチャンネルのトランスポートストリームを、信号処理部Ｐ５及び通信インタフェース３経由でモニタＭＡへ送信し始める（Ｓ３６）。
【００３７】
モニタＭＡは、送信されたトランスポートストリームを、番組情報、オーディオストリーム及びビデオストリームに分離し、オーディオストリームを音声信号に復号して、スピーカから出力し、ビデオストリームを映像信号に復号して表示する。
制御部１は、選択されたチャンネル及びモニタＭＡのＩＤを受付けていないときは（Ｓ３０）リターンする。
以上の動作により、この複合機は、録画中であるか否かに関係無く、複数のモニタに異なる番組を同時に受像させることが出来る。
【００３８】
制御部１は、例えばリモートコントロール装置ＲＭＡが操作され、モニタＭＡを通じて、ユーザＩＤ及び録画情報要求を受付けると（図５Ｓ４０）、モニタＭＡのＩＤ及びそのユーザＩＤに該当する録画情報（図３Ｓ２４）のリストをメモリ５から読出し、通信インタフェース３経由でモニタＭＡへ送信する（Ｓ４２）。モニタＭＡは、送信されたリストを表示する。
【００３９】
制御部１は、リモートコントロール装置ＲＭＡの操作により、送信したリスト（Ｓ４２）から録画情報が選択されると（Ｓ４４）、選択された録画情報の記録再生部（例えばＲ４）を選択する（Ｓ４６）。次いで、選択した記録再生部Ｒ４を信号処理部Ｐ４を通じて起動させ（Ｓ４８）、再生したデータ（トランスポートストリーム）の信号処理部Ｐ４及び通信インタフェースを経由したモニタＭＡへの送信を開始する（Ｓ５０）。
モニタＭＡは、送信されたトランスポートストリームを、番組情報、オーディオストリーム及びビデオストリームに分離し、オーディオストリームを音声信号に復号して、スピーカから出力し、ビデオストリームを映像信号に復号して表示する。
【００４０】
制御部１は、次に、リモートコントロール装置ＲＭＡ〜ＲＭＣの何れかが操作され、再生停止の指示が有るか否かを判定し（Ｓ５２）、再生停止の指示が有れば、その指示を送信したモニタ（例えばＭＢ）のＩＤを含む録画情報（図３Ｓ２４）の記録再生部（例えばＲ３）を信号処理部Ｐ３を通じて停止させて（Ｓ５４）リターンする。
制御部１は、録画情報要求を受付けていないとき（Ｓ４０）、又は録画情報が選択されないとき（Ｓ４４）、再生停止の指示が有るか否かを判定し（Ｓ５２）、再生停止の指示が無ければリターンする。
以上の動作により、この複合機は、番組を録画中及び／又は受像中であっても、複数のモニタで異なる録画番組を再生させることが出来る。
【００４１】
尚、上述した実施の形態では、複合機及びモニタＭＡ〜ＭＣをＩＥＥＥ１３９４シリアルバス４により接続しているが、複合機及びモニタＭＡ〜ＭＣをそれぞれ個別の入出力端子で接続する構成であっても良い。この場合、接続された入出力端子の識別番号が、モニタＭＡ〜ＭＣの各ＩＤ（識別子）となる。
【図面の簡単な説明】
【００４２】
【図１】本発明に係る記録再生装置及び記録再生システムであり、ディジタル放送に使用される複合機及び複合システムの実施の形態の構成を示すブロック図である。
【図２】図１に示す複合機の録画予約の動作を示すフローチャートである。
【図３】図１に示す複合機の録画動作を示すフローチャートである。
【図４】図１に示す複合機の受信動作を示すフローチャートである。
【図５】図１に示す複合機の再生動作を示すフローチャートである。
【符号の説明】
【００４３】
１  制御部
２  バス
３  通信インタフェース
４  ＩＥＥＥ１３９４シリアルバス
５  メモリ
６  時計
ＭＡ〜ＭＣ  モニタ
ＭＴ  マルチチューナ
Ｐ１〜Ｐ６  信号処理部
Ｒ１〜Ｒ４  記録再生部
ＲＭＡ〜ＲＭＣ  リモートコントロール装置
【図１】
2005277956.tif 000003
【図２】
2005277956.tif 000004
【図３】
2005277956.tif 000005
【図４】
2005277956.tif 000006
【図５】
2005277956.tif 000007